(57)【要約】【課題】乗りかごに乗った利用者の任意の操作により、その乗りかごの移動位置を非表示にして、利用者がどの階で降りたかをエレベータ乗り場における第三者に知られることのないエレベータのプライバシー保護システムを提供することにある。【解決手段】建物の各階のエレベータ乗り場には、乗りかご１２の移動位置を逐次表示するかご位置表示灯が設けられている。乗りかご１２内には、乗りかご１２に乗った利用者が任意に操作するプライバシー保護ボタン（ＰＢボタン）２０が設けられている。プライバシー保護ボタン（ＰＢボタン）２０を操作すると、制御盤２５による制御で各階のエレベータ乗り場のかご位置表示灯の機能が停止し、かご位置の表示が非表示となり、この状態で乗りかごが行先階に移動する。したがって、利用者が降りる乗りかごの行先階がエレベータ乗り場の第三者に知られることがなく、プライバシーが保護される。【選択図】    図２
2010089893.tif 000002
【特許請求の範囲】
【請求項１】
建物の各階のエレベータ乗り場に設けられ、乗りかごの移動位置を逐次表示するかご位置表示手段と、
乗りかご内に設けられ、乗りかご内に乗った利用者が任意に操作するプライバシー保護ボタンと、
前記乗りかごの運行を制御し、かつ前記プライバシー保護ボタンが操作されたときに、前記各階のエレベータ乗り場のかご位置表示手段の機能を停止させる制御を行なう制御手段と、
を具備することを特徴とするエレベータのプライバシー保護システム。
【請求項２】
前記制御手段は、乗りかごが一つの階で停止しているもとで前記プライバシー保護ボタンが操作されたときに、他の階のエレベータ乗り場でかご呼びの操作があったときには、そのかご呼びに応答せずに乗りかごの運行を制御することを特徴とする請求項１に記載のエレベータのプライバシー保護システム。
【発明の詳細な説明】
【技術分野】
【０００１】
この発明は、マンションなどの建物に設置されるエレベータの利用者のプライバシーを守る保護システムに係り、特にエレベータ利用者が一人で乗りかごに乗り込んで自分の居住階に移動しようとするときに、その居住階をエレベータ乗り場の第三者に知られないようにするプライバシー保護システムに関する。
【背景技術】
【０００２】
一般に、建物の各階のエレベータ乗り場には、乗りかごの位置を点灯表示するかご位置表示装置が設けられている。そして、エレベータ利用者が乗りかごに乗り、かご内操作盤の行先階ボタンを操作して行先階を登録すると、乗りかごがその登録された行先階に向って移動して目的の行先階で停止する。この際、エレベータ乗り場のかご位置表示装置には乗りかごの位置（階床）が逐次点灯表示され、したがって乗りかごが停止した階床をそのエレベータ乗り場において知ることができる。
【０００３】
ところで、マンションなどの集合住宅において、特に一人住いの若い女性などにあっては、プライバシーを守り、犯罪を防止する観点から、一人で乗りかごに乗って自分の居住階に移動しようとするときに、第三者（不審者）に自分が降りる階床、つまり居住階を知られたくないと言う要望がある。
【０００４】
このため、乗りかごに乗ったときに、かご内操作盤の各階床の行先階ボタンを操作し、乗りかごを各階で停止させ、自分が降りる階床が第三者に分からないようにする手段が採られることがある。しかしながら、この手段では、乗りかごが各階床で停止するため利便性に欠け、またエレベータの運行効率が大幅に低下していしまう。
【０００５】
特開平７−２５５５５号公報には、エレベータ利用者のプライバシーを保護するためのシステムが開示されている。このシステムは、ある階床で利用者が乗りかごに乗り、かご内操作盤を操作して目的の行先階を登録したときに、その行先階のエレベータ乗り場に第三者が待機しているような場合に、その旨を乗りかご内の利用者に報知し、この報知に基づいて行先階を変更することで、乗りかご内の利用者がエレベータ乗り場で第三者と出会うことを避けてプライバシーを保護するようにしたものである。
【特許文献１】特開平７−２５５５５号公報
【発明の開示】
【発明が解決しようとする課題】
【０００６】
しかしながら、特開平７−２５５５５号公報のものでは、乗りかごに乗った利用者がエレベータ乗り場で第三者と出会わないようにして利用者のプライバシーを保護するだけで、乗りかごに乗った利用者がどの階に向ったかをエレベータ乗り場における第三者に知られないようにするプライバシーについては保護されない。
【０００７】
この発明はこのような点に着目してなされたもので、その目的とするところは、乗りかごに乗った利用者の任意の操作により、その乗りかごの移動位置を非表示にして、利用者がどの階で降りたかをエレベータ乗り場における第三者に知られることのないエレベータのプライバシー保護システムを提供することにある。
【課題を解決するための手段】
【０００８】
このような目的を達成するために、請求項１の発明は、建物の各階のエレベータ乗り場に設けられ、乗りかごの移動位置を逐次表示するかご位置表示手段と、乗りかご内に設けられ、乗りかご内に乗った利用者が任意に操作するプライバシー保護ボタンと、前記乗りかごの運行を制御し、かつ前記プライバシー保護ボタンが操作されたときに、前記各階のエレベータ乗り場のかご位置表示手段の機能を停止させる制御を行なう制御手段とを具備することを特徴としている。
請求項２の発明は、前記制御手段が、乗りかごが一つの階で停止しているもとで前記プライバシー保護ボタンが操作されたときに、他の階のエレベータ乗り場でかご呼びの操作があったときには、そのかご呼びに応答せずに乗りかごの運行を制御することを特徴としている。
【発明の効果】
【０００９】
この発明によれば、乗りかごに乗った利用者の任意の操作により、その乗りかごの移動位置を非表示にして、利用者がどの階で降りたかをエレベータ乗り場における第三者に知られることがなく、したがって利用者のプライバシーを守れ、かつ防犯に役立つ。
【発明を実施するための最良の形態】
【００１０】
以下、この発明の実施の形態について図面を参照して説明する。
【００１１】
図１にはマンションの各階のエレベータ乗り場１の外観を示してある。エレベータ乗り場１における壁面には三方枠２を備える乗降口３が設けられ、この乗降口３にその開閉用の乗り場ドア装置４が設けられている。乗り場ドア装置４は、例えば一対のドアパネル５が左右に移動して乗降口３を開閉する両開き式構造となっている。
【００１２】
乗り場１の壁面には、三方枠２の側方に位置して乗り場操作盤７が据え付けられている。この乗り場操作盤７には、乗りかご１２をエレベータ乗り場１に呼ぶためのかご呼びボタン８、及び乗りかご１２の位置を表示するかご位置表示手段としてのかご位置表示灯９が設けられている。
【００１３】
図２には乗りかご１２の内部構造を示してある。乗りかご１２は前面に出入口１３を有し、この出入口１３にその開閉用のかごドア装置１４が設けられている。かごドア装置１４は、一対のドアパネル１５が左右に移動して出入口１３を開閉する両開き式構造となっている。
【００１４】
乗りかご１２の前面壁には、出入口１３の側方に位置してかご操作盤１８が取り付けられている。このかご操作盤１８には、乗りかご１２の行先階を登録するための複数の行先階ボタン１９、乗りかご１２に乗った利用者が任意に操作するプライバシー保護ボタン（ＰＢボタン）２０、かごドア装置１４を開閉操作するための開閉ボタン２１、乗りかご１２の位置を表示するかご位置表示灯２２、及び非常時にエレベータ管理センタに緊急通報するための非常呼びボタン２３が設けられている。また、乗りかご１２の天井部には照明装置２４が設けられている。
【００１５】
乗り場操作盤７及びかご操作盤１８は、図１及び図２に示すように、エレベータの運行を管理及び制御する制御手段としての制御盤２５に接続されている。制御盤２５は、例えば乗りかご１２が昇降移動する昇降路（図示せず）内に設けられている。
【００１６】
次に、このエレベータの動作について、図３に示すフローチャートを参照して説明する。
【００１７】
例えば基準階としての１階に乗りかご１２が着床して停止しているときに、その乗りかご１２内にエレベータ利用者が乗り込むと（Ｓ１）、その利用者がプライバシー保護ボタン（ＰＢボタン）２０を操作したかが制御盤２５により判断され（Ｓ２）、操作がないときには、次に利用者が行先階ボタン１９を操作したかが判断され（Ｓ３）、操作があったときにはその行先階が登録され、この登録に応じて制御盤２５による制御で、かごドア装置１４が閉じ、乗りかご１２が登録された行先階に向って移動し、その行先階で停止してかごドア装置１４が開く通常運転が実行される（Ｓ４）。この通常運転時には、各エレベータ乗り場１におけるかご位置表示灯９に乗りかご１２の移動位置が逐次表示される。
【００１８】
一方、マンションの居住者が例えば深夜に一人で帰宅し、基準階の１階から乗りかご１２に乗ったときに、自分の行先階（居住階）をエレベータ乗り場１の第三者に知られたくないような場合には、Ｓ２において、ＰＢボタン２０を操作する。この操作により、乗りかご１２に乗った利用者がＰＢボタン２０を操作したと制御盤２５により判断される（Ｓ２）。引き続き、利用者が行先階ボタン１９を操作したかが判断され（Ｓ５）、操作があったときにはその行先階が登録される。
行先階が登録されたときには、制御盤２５による制御で各階のエレベータ乗り場１におけるかご位置表示灯９の機能が停止する。すなわち、各階のエレベータ乗り場１のかご位置表示灯９が消灯し、かご位置が非表示となる（Ｓ６）。
【００１９】
次に、基準階である１階以外の他階のエレベータ乗り場１において、かご呼びボタン８の操作によるかご呼びがあるかが判断される（Ｓ７）。かご呼びがないときには、かごドア装置１４が閉じ、乗りかご１２がＳ５で登録された行先階に向って移動して停止する（Ｓ８）。そしてかごドア装置１４が開き、利用者が降りる。この乗りかご１２の運転時には、Ｓ６の処理により、各エレベータ乗り場１のかご位置表示灯９の機能が停止してかご位置が非表示となっており、したがってエレベータ乗り場１に第三者がいても、その第三者は利用者が乗った乗りかご１２が何階で停止し、利用者が何階で降りたかを知ることができない。つまり、利用者の居住階が第三者に知られることがなく、利用者のプライバシーが保護される。なお、乗りかご１２が行先階に向って移動するときには、かご操作盤１８におけるかご位置表示灯２２には乗りかご１２の位置が逐次表示される。
【００２０】
Ｓ８で乗りかご１２が停止して利用者が降りた後には、制御盤２５による制御で乗りかご１２が例えば基準階に帰着し（Ｓ９）、さらに各エレベータ乗り場１のかご位置表示灯９の機能の停止状態が解除され、かご位置表示灯９が点灯し（Ｓ１０）、通常運転状態に戻る（Ｓ１１）。
Ｓ７において、他階でのかご呼びがあると判断されたときには、そのかご呼びに応答せずに、乗りかご１２がＳ５で登録された行先階に向って移動して停止する（Ｓ１２）。この際、各エレベータ乗り場１のかご位置表示灯９の機能が停止してかご位置が非表示となっているから、利用者が乗った乗りかご１２がどの階で停止し、利用者がどの階で降りたかを知ることができない。
【００２１】
そして、他階でかご呼びがあっても、それに応答せずに乗りかご１２が移動するから、乗りかご１２が登録された行先階に移動する途中で停止して、乗りかご１２に第三者が乗り込むようなことがなく、したがって乗りかご１２内で利用者と第三者とが出会うことがなく、利用者のプライバシーが守られる。
乗りかご１２が登録された行先階で停止し（Ｓ１２）、利用者が乗りかご１２から降りた後には、乗りかご１２が基準階に帰着し（Ｓ１３）、さらに各エレベータ乗り場１のかご位置表示灯９の機能の停止状態が解除され、かご位置表示灯９が点灯する（Ｓ１４）。
この後、他階でのかご呼びに応答し（Ｓ１５）、乗りかご１２がそのかご呼びのエレベータ乗り場１に移動し、通常運転状態に戻る（Ｓ１６）。
以上のように本実施形態によれば、乗りかご１２に乗った利用者がプライバシー保護ボタン（ＰＢボタン）２０を操作することにより、各エレベータ乗り場１のかご位置表示灯９の機能を一時的に停止して乗りかご１２の移動位置を非表示にすることができ、したがって利用者がどの階で降りたかをエレベータ乗り場１における第三者に知られることがなく、利用者のプライバシーを守れ、また防犯にも役立つ。
プライバシー保護ボタン（ＰＢボタン）２０の操作は任意であり、したがって例えば昼間などにおいて、乗りかご１２に複数の利用者が乗り込んでエレベータを利用するような場合には、プライバシー保護ボタン（ＰＢボタン）２０を操作せずに通常運転で運行し、各階のエレベータ乗り場１で待機する利用者にかご位置を表示することが可能で、これにより各階のエレベータ乗り場１で待機する利用者に不便をかけるようなことを避けることができる。
【図面の簡単な説明】
【００２２】
【図１】この発明の一実施形態を示すエレベータ乗り場の外観斜視図。
【図２】この発明の一実施形態を示す乗りかごの内部構造の外観斜視図。
【図３】この発明の一実施形態の作用を説明するためのフローチャート。
【符号の説明】
【００２３】
１…エレベータ乗り場
３…乗降口
４…乗り場ドア装置
７…乗り場操作盤
８…かご呼びボタン
９…かご位置表示灯
１３…出入口
１４…かごドア装置
１８…かご操作盤
１９…行先階ボタン
２０…プライバシー保護ボタン
２５…制御盤
【図１】
2010089893.tif 000003
【図２】
2010089893.tif 000004
【図３】
2010089893.tif 000005